(57)【特許請求の範囲】
【請求項１】
レンズモジュール及びイメージセンサモジュールの間に設置され、該レンズモジュール及び該イメージセンサモジュールの間に所定の撮像光軸を設定し、そのうち、該防震装置は、基板と、少なくとも１つの圧電部材と、回路部材と、を含み、
該基板は、該撮像光軸に垂直な平面を有し、且つ該平面上に所定の第１軸方向及び第２軸方向を設定し、
少なくとも１つの前記圧電部材は、前記基板の上に設置され、前記レンズモジュールの底面に隣接され、圧電部材に対し電圧を印加することによりレンズモジュールの変位を駆動させることができ、
前記回路部材は、前記基板の上に設置され、前記圧電部材と電気接続し、且つ該回路部材は、制御モジュールを含み、該制御モジュールが前記圧電部材に供給する前記電圧を制御することができることを特徴とするレンズモジュールの防震装置。
【請求項２】
少なくとも１つの前記圧電部材は、２組の圧電部材を含み、且つ該２組の圧電部材は、それぞれ圧電モータであり、相対して垂直９０度を呈し、前記基板上に設置され、それぞれ前記レンズモジュールの該基板の前記第１軸方向及び第２軸方向に相対する偏差変位補償を担い、更に、少なくとも１つの位置検出モジュールと、複数の弾性部材と、摩擦片と、を含み、
前記位置検出モジュールは該基板の上に設置され、該位置検出モジュールは、前記レンズモジュールの前記撮像光軸を偏移する誤差程度を検出し、且つ該基板上の前記制御モジュールを介し、前記圧電部材を経由し、前記レンズモジュールの変位を駆動し、該レンズモジュールの位置を修正し、
前記弾性部材は固定され、前記基板の４つの側辺にそれぞれ位置し、前記撮像光軸方向に平行に該レンズモジュールを該基板の上に弾性固定し、
前記摩擦片は、該レンズモジュールの該底面に設置され、該圧電部材の上部上に弾性圧着し、且つ該レンズモジュール及び該圧電部材間の摩擦力を増加することを特徴とする請求項１に記載のレンズモジュールの防震装置。
【請求項３】
前記複数の弾性部材は、それぞれ波形を呈し、往復湾曲する細長金属薄片により構成されるバネであるか、細長の金属螺旋バネの何れか１つであり、該複数の弾性部材は、前記レンズモジュールを前記基板に向けて下に引っ張る張力を提供することができ、且つ該レンズモジュール及び前記回路部材を電気接続する導電線路とすることができ、制御信号又は電源信号をレンズモジュール及び回路部材の間で伝達することに用いることを特徴とする請求項２に記載のレンズモジュールの防震装置。
【発明の詳細な説明】
【技術分野】
【０００１】
本発明は、レンズモジュールの防震装置に関し、特に、圧電モータを運用したレンズモジュールに対する修正及びイメージセンサモジュール間の光軸の変位偏差の修正補償に関する。
【背景技術】
【０００２】
レンズモジュール及びイメージセンサモジュールから構成される光学システムにおいて、例えば、カメラ又は撮影機等の光学システムは、外力要素により、或いはカメラ又は撮影機を手に持つ時の振動により、光経路の震動偏移を招き、イメージセンサモジュール上の結像が不安定になり、撮影したイメージが不明瞭になる。最もよく見られる解決方式は、この種の震動により起こるイメージ不明瞭の現象に対し、補償機構を提供し、取得したイメージを明瞭化し、この種の補正機構は、デジタル補償機構又は光学補償機構であることができる。
【０００３】
デジタル補償機構とは、イメージセンサモジュールが取得したデジタルイメージデータに対し分析及び処理を行い、より明瞭なデジタルイメージを獲得し、このような方式は、しばしばデジタル防震機構とも称される。光学補償機構について、通常、光学レンズ又はイメージセンサモジュール上に震動補償装置を設置し、このような方式は、しばしば光学防震機構と称される。しかしながら、現在公知の光学防震機構は、ほとんどが複雑であり、体積が大きく重量が大きい機構又は部材であるので、多くが、技術が複雑、組み立てが困難、コストが高い、又は体積が縮小できないという欠陥を有し、改善の余地を有する。
【先行技術文献】
【特許文献】
【０００４】
【特許文献１】特開平１０−２５４０１２
【特許文献２】特開２００９−８９２９
【特許文献３】特開２０１０−１７６１０１
【発明の概要】
【発明が解決しようとする課題】
【０００５】
本発明の目的は、レンズモジュールの防震装置を提供することであり、それは、基板上に圧電部材を設置し、該圧電部材を介し該レンズモジュールを異なる軸方向上で駆動し、偏移の修正を行い、構造が簡単で、組み立てが容易で、体積が小さく且つコストが低い防震装置を構成することである。
【課題を解決するための手段】
【０００６】
上記の目的を達成する為、本発明は、レンズモジュールの防震装置を開示する。該レンズモジュール及び該イメージセンサモジュール間に所定の撮像光軸を設定し、該防振装置は、基板と、少なくとも１つの圧電部材と、摩擦片と、複数の弾性部材と、回路部材と、を含む。
【０００７】
該基板は、該撮像光軸の上に設置され、該基板は、該撮像光軸に向く平面を有し、且つ該平面上に所定の第１軸方向及び該第２軸方向を設定する。該圧電部材は、該基板の上に設置され、該レンズモジュールを押し合わせる。該摩擦片は、該レンズモジュールの一側辺に設けられ、該圧電部材の上に圧着される。該弾性部材は、該基板周囲に固定され且つ巻き付けられ、該撮像光軸方向に平行に該レンズモジュールを該基板上に弾性固定する。該回路部材は、該基板の上に設置され、該圧電部材と接続し、それは、更に制御モジュール及び少なくとも１つの位置検出モジュールを含む。該制御モジュールは、該位置検出モジュールに接続し、該位置検出モジュールが検出する該レンズモジュール及び該イメージセンサチップ間の該撮像光軸の変位偏差値に基づき、該圧電部材が該レンズモジュールを駆動するよう制御し、該撮像軸が震動により起こす不安定状態の補償を達成し、好適な結像効果を獲得する。
【発明の効果】
【０００８】
本発明のレンズモジュールの防震装置は、基板上に圧電部材を設置し、該圧電部材を介し該レンズモジュールを異なる軸方向上で駆動し、偏移の修正を行い、構造が簡単で、組み立てが容易で、体積が小さく且つコストが低い防震装置を構成する。
【図面の簡単な説明】
【０００９】
【図１】本発明のレンズモジュールの防震装置の立体分解図である。
【図２】本発明のレンズモジュールの防震装置の立体組み合わせ図である。
【図３】本発明のレンズモジュールの防震装置の側面断面説明図である。
【図４】本発明のレンズモジュールの防震装置の第１好適実施例の圧電部材立体分解図である。
【図５】本発明のレンズモジュールの防震装置の第１好適実施例の基板立体説明図である。
【図６】本発明のレンズモジュールの防震装置の第１好適実施例の圧電部材及び基板組み合わせ説明図である。
【図７】本発明のレンズモジュールの防震装置の第２好適実施例の立体分解図である。
【図８】本発明のレンズモジュールの防震装置の第２好適実施例の組み合わせ図である。
【発明を実施するための形態】
【００１０】
本発明のレンズモジュールの防震装置の主要な原理は、基板上に圧電部材を設置し、該圧電部材を介し該レンズモジュールを２つの異なる軸方向上で駆動し、偏移の修正を行い、振動補償式の防震装置の機能を達成する。そのうち、前記圧電部材は、圧電モータにより構成されることができ、前記基板上に所定の第1軸方向及び第２軸方向を設定(定義)することにより該レンズモジュールを駆動し、偏移の補償を行い、構造が簡単で、組み立てが容易で、体積が小さく、コストが低いレンズモジュールの防震装置を達成する。
【００１１】
本発明のレンズモジュールの防震装置に使用する圧電部材は、圧電モータ(piezoelectric motor)と称される作動部材であり、それは、圧電材料から形成され、圧電モータに対し、電圧を施し、作動力(actuating force)を発生し、該レンズモジュールの変位を最適な撮像位置に修正することを達成する。
【００１２】
前記圧電モータが発生する圧電効果は、可逆であるので、材料が体積変化により電圧の反応を発生し、これは、「正圧電反応」と称する。これに対し、材料は、電圧を加えることにより、体積変化の反応を発生し、これは、「逆圧電反応」と称する。圧電効果を有する材料は、「圧電材料」と総称する。圧電反応を有する材料は、天然の結晶体、例えば、石英、トルマリン、ロードソルト等の材料以外に、更に、人工の方式で製造でき、例えば、酸化亜鉛、ポリマー、セラミック材料、複合材料等であることができる。そのうち、セラミック材料は、製造が容易であり、任意の形状に形成可能であり、且つその特性が任意に組み合わせることにより多様な変化を成す等の利点により、現在すでに圧電部材の主流になっている。一般に、圧電セラミック材料は、体積が小さく、応答が迅速であり、変位量が小さく、消費パワーが低い等の特色を有する。前記の該圧電モータは、従来技術から選択でき、且つ本発明の主要技術特徴でないので、ここでは、その構成の詳細を記載しない。
【００１３】
図１〜図３に示すように、そのうち、本発明のレンズモジュールの防震装置１は、レンズモジュール２及びイメージセンサモジュール３の間に設置され、且つ該レンズモジュール２及び該イメージセンサモジュール３の間に所定の撮像光軸４を設定し、外部の物体のイメージ光を収集し、該イメージセンサモジュール３上に結像する。
【００１４】
前記レンズモジュール２は、複数のレンズを含む固定焦点又は可変焦点レンズであることができる。本実施例において、該レンズモジュール２は、コイル及び磁石が構成する電磁駆動装置によりレンズの移動を駆動する可変焦点レンズモジュール又はフォーカスレンズモジュールであることが好ましい。該イメージセンサモジュール３は、例えば、電荷結合部材（ＣＣＤ）又は相補型金属酸化膜半導体（ＣＭＯＳ）等の感光部材により構成されるイメージセンサを含むことができる。該レンズモジュール２は、外部物体のイメージ光が前記撮像光軸４を経由するようにし、イメージセンサモジュール３の感光部材上に結像し、該イメージセンサモジュール３は、イメージ光をコンピュータに解読させることができるデジタルイメージデータに変換し、デジタルカメラ又はデジタル撮影機の機能に提供することができる。ここで開示する該レンズモジュール２及び該イメージセンサモジュール３は、何れも従来技術から直接選択でき、本発明の技術特徴でないので、ここでは、その構成を記載しない。
【００１５】
本実施例において、本発明の防震装置１は、該レンズモジュール２及び該イメージセンサモジュール３の中央箇所に設置され、即ち、該レンズモジュール２及びイメージセンサモジュール３の前記撮像光軸４経路上に位置し、該レンズモジュール２が外力の震動を受け、該イメージセンサモジュール３の最適撮像光軸４の経路から離脱する時、本発明の防震装置１により該レンズモジュール２が偏移した誤差量を、該圧電部材を介し、変位を補償し、正常で好適な該撮像光軸４経路上への回帰させることを達成することができる。
【００１６】
図１に示すように、本発明の防震装置１の好適実施例において、該防震装置１は、撮像光軸４に垂直な基板１１と、少なくとも１つの圧電部材１２，１２’と、摩擦片１３と、複数の弾性部材１４と、少なくとも１つの位置検出モジュール１５，１５’と、回路部材１６と、を含む。該回路部材１６は、更に、制御モジュール１６１を含む。
【００１７】
該基板１１中央箇所に貫通孔１１１を設け、該レンズモジュール２及びイメージセンサモジュール３の間の撮像光軸４経路を通過させ、該基板１１は、更に、第１表面１１２及び第２表面１１３を含む。該第１表面１１２は、前記撮像光軸４に向く平面上に第１軸方向７及び第２軸方向８を設定(定義)する。
【００１８】
該第１表面１１２は、それぞれ第１凹溝１１２１及び第２凹溝１１２２を設け、且つ該第１凹溝１１２１及び該第２凹溝１１２２は、相互に垂直９０度を呈し、且つそれぞれ該第１軸方向７及び該第２軸方向８の上に位置し、更に２組の圧電部材１２，１２’をそれぞれその中に嵌合させ、その上部は、該レンズモジュール２の底面上に設ける摩擦片１３に隣接する。即ち、所定の第１軸方向７及び該第２軸方向８は、それぞれ該基板１１の該第１表面１１２上のＸ軸及びＹ軸の２つの相互に垂直を呈する軸方向を代表する。また、該撮像光軸４は、それぞれ該第１軸方向７及び該第２軸方向８に垂直であり、即ち、上記のＸ軸、Ｙ軸と垂直な第３次元のＺ軸方向を構成する。本発明の実施例において、該２組の圧電部材(Piezo member) １２，１２’は、それぞれ圧電モータであり、これらの圧電モータの好適な使用周波数は、120KHz又はその他の周波数であることができ、該レンズモジュール２の該基板１１の該第２軸方向８及び該第１軸方向７に対する偏差変位の補償を担うことに用いる。実施例において、圧電部材１２に対し、電圧を印加する時、圧電モータの特性を利用し、レンズモジュール２が該第２軸方向８に沿った線性変位を行うよう駆動することができる。同様に、圧電部材１２’に対し、電圧を印加する時、レンズモジュール２が該第１軸方向７に沿った線性変位を行うよう駆動することができ、更に、撮像光軸４（Ｚ軸方向）に垂直な水平面上でレンズモジュール２のＸ軸及びＹ軸方向上の位置を調整する機能を達成する。
【００１９】
該基板１１の前記第２表面１１３は、該イメージセンサモジュール３の上に被覆し、該基板１１中央箇所の該貫通孔１１１は、該レンズモジュール２及び該イメージセンサモジュール３を相互に対応させ、該貫通孔１１１は、仮想の該撮像光軸４が該レンズモジュール２から該基板１１を介し該イメージセンサモジュール３に達するまで経過する光の進行経路を提供する。
【００２０】
該基板１１の該第１表面１１２両側側辺の所定の箇所にそれぞれ第１定位溝１１２３及び第２定位溝１１２４を設け、２つの位置検出モジュール１５，１５’を結合固定させ、該位置検出モジュール１５，１５’が、該レンズモジュール２が該撮像光軸４を偏移した偏差変位量、即ち、該レンズモジュール２の該第１軸方向７及び該第２軸方向８上で該撮像光軸４を偏移させる程度を検出し、変位を修正する補償値を該基板１１上の該制御モジュール１６１に介し、該圧電部材１２，１２’により接触する該レンズモジュール２に対し偏移量を修正し、該レンズモジュール２及び該イメージセンサモジュール３を好適な該撮像光軸４の経路上に回復させる。
【００２１】
該摩擦片１３は、該レンズモジュール２の底面に設置され、該基板１１の該第１表面１１２と相対し、且つ該圧電部材１２，１２’の上部上に圧着され、該レンズモジュール２及び該圧電部材１２，１２’間の摩擦力を増加し、該摩擦片１３中央箇所に貫通穿合孔１３１を設け、該撮像光軸４を通過させる。本発明の実施例において、該弾性部材１４は、波形を呈し、往復湾曲する細長金属薄片から構成されるバネであることができ、且つ４組のバネは、平均的に分布され、該基板１１の周囲四方隅付近に固定され、該バネの上下両端がそれぞれ該基板１１及び該レンズモジュール２に固定される方式を利用し、更に、該レンズモジュール２は、該基板１１の該第１表面１１２上方に弾性固定される。言い換えれば、複数の弾性部材１４（バネ）が該基板１１周囲に巻き付き固定され、該基板１１方向と垂直、即ち、該撮像光軸４と平行なＺ軸方向において、該レンズモジュール２を該基板１１の上に弾性固定し、該レンズモジュール２が震動により基板１１から脱落しないようにするだけでなく、更に、レンズモジュール２を基板１１向きに引っ張る張力を提供することができ、レンズモジュール２底面の摩擦片１３及び圧電部材１２，１２’の間に適量な摩擦力を保有させ、圧電部材１２，１２’にレンズモジュール２の水平移動を連動可能にさせる。また、他の実施例において、該細長金属薄片バネ状の弾性部材１４は、前記の固定機能及び張力を提供できる以外に、更に、該レンズモジュール２及び該回路部材１６を電気接続する導電線路とすることができ、制御信号又は電源信号をレンズモジュール２及び回路部材１６の間で伝達することに用い、該レンズモジュール２が自動照準又は可変焦点の操作を行うよう駆動することができる。
【００２２】
本発明の実施例において、該回路部材１６は、独立して存在するフレキシブル回路板が該基板１１の上に設けられたものであり、該レンズモジュール２及び該基板１１の間に位置し、その上方に該貫通孔１１１と相応する開孔１６２を予め設け、該撮像光軸４を通過させることを有利にし、且つ、本発明の実施例中の該回路部材１６は、更にそれぞれ２つの開口１６３，１６３’及び２つの破口１６４，１６４’を設け、該基板１１上の該圧電部材１２，１２’及び該位置検出モジュール１５，１５’に該回路部材１６を通過させ、該摩擦片１３と接触を行わせ、該レンズモジュール２の偏差変位量を修正及び検出することを有利にする。本実施例において、該位置検出モジュール１５，１５’は、磁力センサ部材を含む磁性感応式位置検出モジュール１５，１５’であることができ、レンズモジュール２の底面の位置検出モジュール１５，１５’に相対する位置に磁石を設置する。磁力センサ部材は、磁石の磁力変化を検出し、該回路部材１６上の制御モジュール１６１によりレンズモジュール２の第１及び第２軸方向７，８上の位置偏移量を算出する。他の実施例において、該位置検出モジュール１５，１５’は、発光部材及び受光部材を含む光学式位置検出モジュール１５，１５’であることもでき、レンズモジュール２の底面の位置検出モジュール１５，１５’に対応する位置に光反射面を設ける。発光部材が発した光が該光反射面の反射を経た後、受光部材により受光され、その変化により、該回路部材１６上の制御モジュール１６１によりレンズモジュール２の第１及び第２軸方向７，８上の位置偏移量を算出する。
【００２３】
該回路部材１６は、それぞれ該圧電部材１２，１２’及び該位置検出モジュール１５，１５’と電気接続し、該位置検出モジュール１５，１５’に該レンズモジュール２が該撮像光軸４を偏移させた位置変位量を検出させ、該回路部材１６上の該制御モジュール１６１が位置偏移量の修正値を算出し、更に、該圧電部材１２，１２’に供給する電圧を制御することにより、レンズモジュール２の該第１軸方向７及び該第２軸方向８上の変位を駆動し、該レンズモジュール２の該第１軸方向７及び該第２軸方向８上の位置偏移量を修正し、修正補償でき、該レンズモジュール２を該イメージセンサモジュール３が対応する最適な該撮像光軸４の上に回復する。
【００２４】
また、該圧電部材１２，１２’及び該摩擦片１３の接触により発生し得る該レンズモジュール２の水平傾斜に応じるため、該基板１１の該第１表面１１２上にそれぞれ該圧電部材１２，１２’と相応する位置の平衡支持部１１２５，１１２５’を設置する。平衡支持部１１２５，１１２５’が第１表面１１２に突出する高さは、圧電部材１２，１２’が第１表面１１２に突出する高さに相当し、且つ同時に該回路部材１６上に該平衡支持部１１２５，１１２５’に対応する通孔１６５，１６５’を設け、該平衡支持部１１２５，１１２５’は、それぞれ通孔１６５，１６５’を貫通し、該摩擦片１３と接触することができ、該レンズモジュール２及び該基板１１の平行間隔を維持させる。本実施例において、該平衡支持部１１２５，１１２５’は、基板１１の該第１表面１１２上の凸点であることができる。他の実施例において、該平衡支持部１１２５，１１２５’は、基板１１の該第１表面１１２上のボールであることもできる。
【００２５】
以下に記載する本発明のその他の好適な実施例において、大部分の部材は、前記実施例と同一であるか、類似するので、同一の部材は、同一の名称及び符号を与え、類似する部材は、同一の明瞭及び原符号後に更にアルファベットを追加し、区別し、且つ詳細を記載しない。
【００２６】
図４〜図６を参照し、図４は、本発明のレンズモジュールの防震装置の第１好適実施例の圧電部材の立体説明図である。図５は、本発明のレンズモジュールの防震装置の第１好適実施例の基板の立体説明図である。図６は、本発明のレンズモジュールの防震装置の第１好適実施例の圧電部材及び基板の組み合わせ説明図である。
【００２７】
図４に示すように、該圧電部材１２ａは、２組であり、且つそれぞれ接触面１２１ａと、底面１２２ａと、左側面１２３ａと、右側面１２４ａと、複数の電極１２５ａと、接触パッド１２６ａとを含む。そのうち、該接触面１２１ａは、該レンズモジュール２下方に向き、且つ該接触面１２１ａ上方の所定位置に設けた該接触パッド１２６ａによって、それぞれ該回路部材１６(図１参照)上の２つの開口１６３，１６３’を経由し、該レンズモジュール２下方の摩擦片１３と接触する。該複数の電極１２５ａは、該左側面１２３ａ及び該右側面１２４ａから上向き又は下向きに該接触面１２１ａ及び該底面１２２ａの上まで延伸し、且つそれぞれ延伸の末端箇所に湾折する接点１２５１ａを形成し、更に、それぞれの該接点１２５１ａを利用し、回路部材１６と接合する時、電気接続する。
【００２８】
図５、図６に示すように、ここで、第１好適実施例の基板及び図１の本発明のレンズモジュールの防震装置の基板の異なる箇所は、該基板１１aの該第１表面１１２ａ上にそれぞれ第１開口１１２１ａ及び第２開口１１２２ａを設け、且つそれぞれ該第１開口１１２１ａ及び該第２開口１１２２ａの側辺開口箇所にそれぞれ２つの挟持部１１２１１ａ，１１２２１ａを設けることにある。２つの圧電部材１２ａは、該底面１２２ａにより該第１開口１１２１ａ及び第２開口１１２２ａ内に置かれる時、２つの挟持部１１２１１ａ，１１２２１ａは、それぞれ２つの圧電部材１２ａを該第１開口１１２１ａ及び該第２開口１１２２ａ柱に挟持することに用い、且つ２つの挟持部１１２１１ａ，１１２２１ａは、それぞれ該圧電部材１２ａの該接触パッド１２６ａ両側に位置し、該電極１２５ａの位置を超えて、該左側面１２３ａ又は右側面１２４ａのうちの位置表面上に圧着することを回避し、２つの圧電部材１２ａを導電後に、２つの挟持部１１２１１ａ，１１２２１ａの挟持によりそれぞれ２つの圧電部材１２ａが固定する２つの接点１２５１aを形成させ、２つの圧電部材１２ａに通電を経た後、波形運動を呈する時、各該接触パッド１２６ａの運動を連動させ、更に、前記摩擦片１３を連動し、Ｘ軸又はＹ軸上で該レンズモジュール２の偏移量を修正する目的を達成させる。
【００２９】
図７、図８を参照し、そのうち、図７は、本発明のレンズモジュールの防震装置の第２好適実施例の立体分解図である。図８は、本発明のレンズモジュールの防震装置の第２好適実施例の立体組み合わせ図である。
【００３０】
図７、図８に示すように、ここで、第２好適実施例及び図１の本発明のレンズモジュールの防震装置の異なる箇所は、本発明の第２実施例が更に殻体３を含むことにあり、該殻体３は、レンズモジュール２ｂを内に収容し、基板１１ｂの上に被覆する。また、該殻体３は、更に、開孔３１を有し、該レンズモジュール２ｂと相対し、該開孔３１中心箇所が前記撮像光軸４の上に位置し、該レンズモジュール２ｂは、外部のイメージを取得することに有利にする。回路部材１６（図中に表示）は、プリント回路の方式で該基板１１ｂの前記第２表面 1１３b上に設置されるか、該基板１１ｂの内部に埋め込むことができ、該回路部材１６は、更に該基板１１ｂの周囲に複数のガイドピン１６６を延伸し、該ガイドピン１６６を経由し、該レンズモジュール２ｂ及び該圧電部材１２，１２’に対し、電源及び制御信号を入力することができる。
【００３１】
該レンズモジュール２ｂは、蓋板２１ｂを更に含み、該蓋板２１ｂ中央箇所に貫通孔２１１ｂを更に有し、該貫通孔２１１ｂは、該殻体３上の該開孔３１と相対し、該弾性部材１４ｂ上の２つの端部分がそれぞれ固定端２１２ｂ及び固定孔１１２６ｂの上に固定される。本発明の第２好適実施例において、前記弾性部材１４ｂは、金属線で構成する細長の金属螺旋バネ又は金属線の何れかであることができる。該弾性部材１４ｂは、該蓋板２１ｂにより該レンズモジュール２ｂを該基板１１ｂ向きに引っ張る張力を提供し、且つ該レンズモジュール２ｂ及び該基板１１ｂ上に設ける回路部材１６（図示せず）を電気接続する導電線路とすることができ、制御信号又は電源信号をレンズモジュール２ｂ及び回路部材１６の間で伝達することに用いる。
【００３２】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３３】
１  防震装置
２，２ｂ  レンズモジュール
２１ｂ  蓋板
２１１ｂ  貫通孔
２１２ｂ  固定端
３  イメージセンサモジュール
４  撮像光軸
１１，１１ａ、１１ｂ  基板
１１１  貫通孔
１１２，１１２ａ  第１表面
１１２１  第１凹溝
１１２１ａ  第１開口
１１２１１ａ  挟持部
１１２２  第２凹溝
１１２２ａ  第２開口
１１２２１ａ  挟持部
１１２３  第１定位溝
１１２４  第２定位溝
１１２５，１１２５’  平衡支持部
１１２６ｂ  固定孔
１１３，１１３ｂ  第２表面
１２，１２’  圧電部材
１３  摩擦片
１３１  貫通穿合孔
１４，１４ｂ  弾性部材
１５，１５’  位置検出モジュール
１６  回路部材
１６１  制御モジュール
１６２  開孔
１６３，１６３’  開口
１６４，１６４’  破口
１６５，１６５’  通孔
１６６  ガイドピン
７  第１軸方向
８  第２軸方向
１２ａ  圧電部材
１２１ａ  接触面
１２２ａ  底面
１２３ａ  左側面
１２４ａ  右側面
１２５ａ  複数の電極
１２５１ａ  接点
１２６ａ  接触パッド
３  殻体
３１  開孔
【図１】
0005190528.tif 000002
【図２】
0005190528.tif 000003
【図３】
0005190528.tif 000004
【図４】
0005190528.tif 000005
【図５】
0005190528.tif 000006
【図６】
0005190528.tif 000007
【図７】
0005190528.tif 000008
【図８】
0005190528.tif 000009